【手続補正書】
【提出日】平成18年1月24日(2006.1.24)
【手続補正１】
【補正対象書類名】明細書
【補正対象項目名】発明の名称
【補正方法】変更
【補正の内容】
【発明の名称】印刷装置
【手続補正２】
【補正対象書類名】明細書
【補正対象項目名】特許請求の範囲
【補正方法】変更
【補正の内容】
【特許請求の範囲】
【請求項１】  ユーザが両面印刷および片面印刷のいずれか一方の印刷モードの設定を行う印刷モード設定手段と、
前記印刷モード設定手段により選択された前記印刷モードによって印刷を行う印刷手段と、
前記印刷手段が片面印刷した後に、両面印刷できない要因を記憶する記憶手段と、
前記ユーザに前記両面印刷できない要因を知らせる表示手段と、
を有することを特徴とする印刷装置。
【請求項２】  ユーザが両面印刷および片面印刷のいずれか一方の印刷モードの設定を行う印刷モード設定手段と、
前記印刷モード設定手段により選択された前記印刷モードによって印刷を行う印刷手段と、
前記印刷手段が片面印刷した後に、両面印刷できない要因を記憶する記憶手段と、
前記ユーザに前記両面印刷できない要因を知らせる表示手段と、
前記記憶手段で記憶した前記両面印刷できない要因を前記ユーザの要求に応じてレポートに印刷するレポート印刷手段と、
を有することを特徴とする印刷装置。
【請求項３】  両面印刷優先を設定する両面印刷優先設定手段をさらに有し、
前記両面印刷できない要因が判明し、前記両面印刷できない要因に対する設定変更を行った後すぐに両面印刷を行うことを特徴とする請求項１または２記載の印刷装置。
【請求項４】  前記両面印刷できない要因は、印刷モードの設定、給紙段、記録紙サイズ、紙種、長尺原稿のページと長さ、他機能との排他性のうち少なくとも１つであることを特徴とする請求項１から３のいずれか１項に記載の印刷装置。
【請求項５】  前記記憶手段は、前記両面印刷できない要因とともに、送受信時の順番を識別するためのファイル番号を記憶することを特徴とする請求項１または２記載の印刷装置。
【請求項６】  前記表示手段は、前記両面印刷できない要因とともに、送受信時の順番を識別するためのファイル番号を表示することを特徴とする請求項１または２記載の印刷装置。
【請求項７】  前記両面印刷できない要因の表示方法は、前記表示手段および前記レポート印刷手段のうち少なくとも１つを前記ユーザが選択設定する表示方法選択手段とをさらに有することを特徴とする請求項２記載の印刷装置。
【手続補正３】
【補正対象書類名】明細書
【補正対象項目名】０００１
【補正方法】変更
【補正の内容】
【０００１】
【発明の属する技術分野】
本発明は、両面印刷時の利用促進を可能とする印刷装置に関する。
【手続補正４】
【補正対象書類名】明細書
【補正対象項目名】０００６
【補正方法】変更
【補正の内容】
【０００６】
本発明は、上記事情に鑑みてなされたものであり、両面印刷の利用を促進する為に、両面印刷できないパターン（要因）をＬＣＤに表示できるようにし、また、両面印刷できないパターン（要因）をレポートに印刷できるようにすることによって、その時の理由をユーザが認知でき、省資源の為に両面印刷実施の機会を増やすための印刷装置を提供することを目的とする。
【手続補正５】
【補正対象書類名】明細書
【補正対象項目名】０００７
【補正方法】変更
【補正の内容】
【０００７】
また、本発明は、両面印刷優先を設定した時に、両面印刷できない要因の設定を変更した後すぐに両面印刷できるようにする印刷装置を提供することを目的とする。
【手続補正６】
【補正対象書類名】明細書
【補正対象項目名】０００８
【補正方法】変更
【補正の内容】
【０００８】
【課題を解決するための手段】
かかる目的を達成するために、請求項１記載の発明は、ユーザが両面印刷および片面印刷のいずれか一方の印刷モードの設定を行う印刷モード設定手段と、印刷モード設定手段により選択された印刷モードによって印刷を行う印刷手段と、印刷手段が片面印刷した後に、両面印刷できない要因を記憶する記憶手段と、ユーザに前記要因を知らせる表示手段とを有することを特徴としている。
【手続補正７】
【補正対象書類名】明細書
【補正対象項目名】０００９
【補正方法】変更
【補正の内容】
【０００９】
請求項２記載の発明は、ユーザが両面印刷および片面印刷のいずれか一方の印刷モードの設定を行う印刷モード設定手段と、印刷モード設定手段により選択された印刷モードによって印刷を行う印刷手段と、印刷手段が片面印刷した後に、両面印刷できない要因を記憶する記憶手段と、ユーザに要因を知らせる表示手段と、記憶手段で記憶した要因をユーザの要求に応じてレポートに印刷するレポート印刷手段とを有することを特徴としている。
【手続補正８】
【補正対象書類名】明細書
【補正対象項目名】００１０
【補正方法】変更
【補正の内容】
【００１０】
請求項３記載の発明は、請求項１または２記載の発明において、両面印刷優先を設定する両面印刷優先設定手段をさらに有し、両面印刷できない要因が判明し、要因に対する設定変更を行った後すぐに両面印刷を行うことを特徴としている。
【手続補正９】
【補正対象書類名】明細書
【補正対象項目名】００１１
【補正方法】変更
【補正の内容】
【００１１】
請求項４記載の発明は、請求項１から３のいずれか１項に記載の発明において、両面印刷できない要因は、印刷モードの設定、給紙段、記録紙サイズ、紙種、長尺原稿のページと長さ、他の機能との排他性であるＩｎｔｏ１設定のうち少なくとも１つであることを特徴としている。
【手続補正１０】
【補正対象書類名】明細書
【補正対象項目名】００１２
【補正方法】変更
【補正の内容】
【００１２】
請求項５記載の発明は、請求項１または２記載の発明において、記憶手段は、両面印刷できない要因とともに、送受信時の順番を識別するためのファイル番号を記憶することを特徴としている。
【手続補正１１】
【補正対象書類名】明細書
【補正対象項目名】００１３
【補正方法】変更
【補正の内容】
【００１３】
請求項６記載の発明は、請求項１または２記載の発明において、表示手段は、両面印刷できない要因とともに、送受信時の順番を識別するためのファイル番号を表示することを特徴としている。
【手続補正１２】
【補正対象書類名】明細書
【補正対象項目名】００１４
【補正方法】変更
【補正の内容】
【００１４】
請求項７記載の発明は、請求項２記載の発明において、両面印刷できない要因の表示方法は、表示手段およびレポート印刷手段のうち少なくとも１つをユーザが選択設定する表示方法選択手段とをさらに有することを特徴としている。
【手続補正１３】
【補正対象書類名】明細書
【補正対象項目名】００４６
【補正方法】変更
【補正の内容】
【００４６】
【発明の効果】
以上の説明から明らかなように、請求項１記載の発明によれば、ユーザが両面印刷の利用を促進する時に、マシン側からの情報を表示することにより、設定を変更して両面印刷の利用を促進できる。
【手続補正１４】
【補正対象書類名】明細書
【補正対象項目名】００４７
【補正方法】変更
【補正の内容】
【００４７】
請求項２記載の発明によれば、ユーザが両面印刷の利用を促進する時に、マシン側からの情報をレポートに印刷することにより、設定を変更して両面印刷の利用を促進できる。
【手続補正１５】
【補正対象書類名】明細書
【補正対象項目名】００４８
【補正方法】変更
【補正の内容】
【００４８】
請求項３記載の発明によれば、請求項１または２記載の発明において、両面印刷優先を設定する両面印刷優先設定手段をさらに有し、両面印刷できない要因が判明し、要因に対する設定変更を行った後すぐに両面印刷を行うことを特徴としているので、要因解決したらすぐに両面印刷ができるようになり、両面印刷の利用を促進できる。
【手続補正１６】
【補正対象書類名】明細書
【補正対象項目名】００４９
【補正方法】変更
【補正の内容】
【００４９】
請求項４記載の発明によれば、請求項１から３のいずれか１項に記載の発明において、両面印刷できない要因は、印刷モードの設定、給紙段、記録紙サイズ、紙種、長尺原稿のページと長さ、Into1設定のうち少なくとも１つであることを特徴としているので、両面印刷ができない様々なケースに対応ができる。
【手続補正１７】
【補正対象書類名】明細書
【補正対象項目名】００５０
【補正方法】変更
【補正の内容】
【００５０】
請求項５記載の発明によれば、請求項１または２記載の発明において、記憶手段は、両面印刷できない要因とともに、送受信時の順番を識別するためのファイル番号を記憶することを特徴としているので、ユーザは印刷不備のファイルの番号を認識できる。
【手続補正１８】
【補正対象書類名】明細書
【補正対象項目名】００５１
【補正方法】変更
【補正の内容】
【００５１】
請求項６記載の発明によれば、請求項１または２記載の発明において、表示手段は、両面印刷できない要因とともに、送受信時の順番を識別するためのファイル番号を表示することを特徴としているので、ユーザは印刷不備のファイルの番号を認識できる。
【手続補正１９】
【補正対象書類名】明細書
【補正対象項目名】００５２
【補正方法】変更
【補正の内容】
【００５２】
請求項７記載の発明は、請求項２記載の発明において、両面印刷できない要因の表示方法は、表示手段およびレポート印刷手段の少なくとも１つをユーザが選択設定する表示方法選択手段とをさらに有することを特徴としているので、ユーザは両面印刷できない要因を知る方法を選択することができる。